(57)【要約】【課題】吸収コアによる排泄物の吸収効率及び吸収容量の低下等を生じることなく、着用者の排泄部と吸収コアとの間に生じる隙間を抑制できる使い捨て吸収性物品を提供する。【解決手段】この使い捨て吸収性物品１では、縦方向Ｙにおける吸収コア３のくびれ部３ａ及びその近傍に対応するくびれ対応区間４５内に位置する左右の立体ギャザー形成部４２Ｌ，４２Ｒの少なくとも一部の区間４５ａにおいて、立体ギャザー形成部４２Ｌ，４２Ｒの少なくとも一部が、接合部４８により本体部４１の肌面側表面に接合されている。左右方向内方側又は肌面側に折り返された内装体４の左右両側の部分（立体ギャザー形成部４２Ｌ，４２Ｒ）によって立体ギャザーが構成されている。【選択図】図３
2008302138.tif 000002
【特許請求の範囲】
【請求項１】
外装体と、
前記外装体の肌面側に設けられ、排泄物を吸収する吸収コアを有する内装体と、
を備え、
前記吸収コアは、着用者の股下部に対応する部分において左右方向の幅が狭められたくびれ部を備え、
前記内装体は、
前記吸収コアを備え、前記内装体の左右方向の中央部に位置する本体部と、
前記内装体における前記本体部の左右両側に位置し、左右方向内方側又は肌面側に折り返された部分により形成され、着用者の肌面に向けて起立変位可能となっている左右の立体ギャザー形成部と、
前記左右の立体ギャザー形成部の自由端部側に前記自由端部の延設方向に沿って伸張された状態で付与され、その収縮力により前記立体ギャザー形成部を着用者の肌面に向けて起立させる起立用の弾性部材と、
を備え、
この使い捨て吸収性物品の前後方向における前記吸収コアのくびれ部及びその近傍に対応するくびれ対応区間内に位置する前記左右の立体ギャザー形成部の少なくとも一部の区間において、前記立体ギャザー形成部の少なくとも一部が、前記本体部の肌面側表面に接合されていることを特徴とする使い捨て吸収性物品。
【請求項２】
請求項１に記載の使い捨て吸収性物品は、ウエスト用開口部と左右の脚用開口部とを有し、
前記外装体における着用者の胴回りに位置する部分に、胴回り用の弾性部材が、着用者の胴回り方向に伸張された状態で付与されていることを特徴とする使い捨て吸収性物品。
【請求項３】
請求項１に記載の使い捨て吸収性物品において、
前記外装体は、
着用者の前腹部にあてがわれる前側外装体と、
着用者の後背部から臀部にかけた部分にあてがわれ、その左右の縁部が前記前側外装体の左右の縁部と接合された後側外装体と、
を備え、
前記内装体は、前記前側外装体と前記後側外装体との間を前後方向に橋渡すように前記前側外装体及び前記後側外装体の肌面側に接合され、
前記後側外装体における着用者の左右の脚周りに位置する部分には、脚用の弾性部材が伸張された状態で付与されていることを特徴とする使い捨て吸収性物品。
【請求項４】
請求項３に記載の使い捨て吸収性物品において、
前記前側外装体及び前記後側外装体における着用者の胴回りに位置する部分に、胴回り用の弾性部材が、着用者の胴回り方向に伸張された状態で付与されていることを特徴とする使い捨て吸収性物品。
【請求項５】
請求項３又は請求項４に記載の使い捨て吸収性物品において、
前記前側外装体に、前側外装体を破断するための破断部が略縦方向に沿って設けられ、
前記前側外装体に、前記破断部が破断されたときにその破断された部分を再締結するための締結シート材、及びその締結シート材が着脱自在に付着される付着部がさらに設けられることを特徴とする使い捨て吸収性物品。
【請求項６】
請求項１ないし請求項５のいずれかに記載の使い捨て吸収性物品において、
前記立体ギャザー形成部は、
前記内装体の外面側に付与された１枚の不織布シート材における前記本体部から左右方向外方に張り出した部分によって実質的に構成されることを特徴とする使い捨て吸収性物品。
【発明の詳細な説明】
【技術分野】
【０００１】
本発明は、使い捨て吸収性物品に関する。
【背景技術】
【０００２】
特許文献１、２に記載された使い捨て吸収性物品では、吸収性物品の肌面側に左右一対の立体ギャザーが設けられている。また、この吸収性物品に設けられる吸収コアには、着用者の股下部に対応する部分において左右方向の幅が狭められたくびれ部が設けられている。
【０００３】
さらに、特許文献２に記載された使い捨て吸収性物品では、前後方向における吸収コアのくびれ部が設けられる区間にて、立体ギャザーの基端側の部分が吸収性物品の本体部に接合されている。
【特許文献１】特開２０００−７９１４０号公報
【特許文献２】特開２００５−１６０８４３号公報
【発明の開示】
【発明が解決しようとする課題】
【０００４】
上述のように、くびれ部を有する吸収コアを用いた使い捨て吸収性物品では、吸収性物品の本体部における吸収コアのくびれ部が位置する部分には吸収コアが存在しないため、その部分の剛性が低くなる。このため、吸収性物品が着用者に着用され、立体ギャザーが立ち上がった際に、吸収性物品の側縁部における吸収コアのくびれ部が設けられる部分が、立体ギャザーに追従して過度に立ち上がる。この側縁部の過度の立ち上がりにより、着用者の排泄部と吸収コアとの間に大きな隙間が生じ、この隙間が排泄物の漏れ等の原因になる。
【０００５】
この点に関し、上述の特許文献２に記載の使い捨て吸収性物品では、上記のように、前後方向における吸収コアのくびれ部が設けられる区間にて、立体ギャザーの基端側の部分が吸収性物品の本体部に接合されている。このため、吸収性物品が着用されて立体ギャザーが立ち上がった際に、吸収コアのくびれ部が設けられる部分における本体部からの立体ギャザーの立ち上がり高さが抑制され、着用者の排泄部と吸収コアとの間に生じる隙間を抑制できる。なお、特許文献２にはこのような作用、効果に関連する事項の記載はない。
【０００６】
しかし、特許文献２に記載の使い捨て吸収性物品では、本体部の肌面側における左右の側縁部に接合された立体ギャザー不織布により立体ギャザーを構成している。このため、本体部の左右の側縁部の前後方向の全域において、立体ギャザー不織布と本体部とを接合するための接着剤を塗布する必要がある。このため、吸収コアの左右の側縁部が立体ギャザー不織布と本体部との接合部分に重なった場合には、接合部分に付与された接着剤により尿等の排泄物の透過性が低下し、吸収コアによる排泄物の吸収効率が低下する。また、吸収コアの左右の側縁部が立体ギャザー不織布と本体部との接合部分に重ならないように左右方向の幅が小さい吸収コアを用いた場合には、吸収コアの排泄物の吸収容量の低下等の不都合が生じる。
【０００７】
そこで、本発明の解決すべき課題は、吸収コアによる排泄物の吸収効率及び吸収容量の低下等を生じることなく、着用者の排泄部と吸収コアとの間に生じる隙間を抑制できる使い捨て吸収性物品を提供することである。
【課題を解決するための手段】
【０００８】
上記の課題を解決するため、請求項１の発明では、外装体と、前記外装体の肌面側に設けられ、排泄物を吸収する吸収コアを有する内装体とを備え、前記吸収コアは、着用者の股下部に対応する部分において左右方向の幅が狭められたくびれ部を備え、前記内装体は、前記吸収コアを備え、前記内装体の左右方向の中央部に位置する本体部と、前記内装体における前記本体部の左右両側に位置し、左右方向内方側又は肌面側に折り返された部分により形成され、着用者の肌面に向けて起立変位可能となっている左右の立体ギャザー形成部と、前記左右の立体ギャザー形成部の自由端部側に前記自由端部の延設方向に沿って伸張された状態で付与され、その収縮力により前記立体ギャザー形成部を着用者の肌面に向けて起立させる起立用の弾性部材とを備え、この使い捨て吸収性物品の前後方向における前記吸収コアのくびれ部及びその近傍に対応するくびれ対応区間内に位置する前記左右の立体ギャザー形成部の少なくとも一部の区間において、前記立体ギャザー形成部の少なくとも一部が、前記本体部の肌面側表面に接合されている。
【０００９】
また、請求項２の発明では、請求項１の発明に係る使い捨て吸収性物品は、ウエスト用開口部と左右の脚用開口部とを有し、前記外装体における着用者の胴回りに位置する部分に、胴回り用の弾性部材が、着用者の胴回り方向に伸張された状態で付与されている。
【００１０】
また、請求項３の発明では、請求項１の発明に係る使い捨て吸収性物品において、前記外装体は、着用者の前腹部にあてがわれる前側外装体と、着用者の後背部から臀部にかけた部分にあてがわれ、その左右の縁部が前記前側外装体の左右の縁部と接合された後側外装体とを備え、前記内装体は、前記前側外装体と前記後側外装体との間を前後方向に橋渡すように前記前側外装体及び前記後側外装体の肌面側に接合され、前記後側外装体における着用者の左右の脚周りに位置する部分には、脚用の弾性部材が伸張された状態で付与されている。
【００１１】
また、請求項４の発明では、請求項３の発明に係る使い捨て吸収性物品において、前記前側外装体及び前記後側外装体における着用者の胴回りに位置する部分に、胴回り用の弾性部材が、着用者の胴回り方向に伸張された状態で付与されている。
【００１２】
また、請求項５の発明では、請求項３又は請求項４の発明に係る使い捨て吸収性物品において、前記前側外装体に、前側外装体を破断するための破断部が略縦方向に沿って設けられ、前記前側外装体に、前記破断部が破断されたときにその破断された部分を再締結するための締結シート材、及びその締結シート材が着脱自在に付着される付着部がさらに設けられる。
【００１３】
また、請求項６の発明では、請求項１ないし請求項５のいずれかの発明に係る使い捨て吸収性物品において、前記立体ギャザー形成部は、前記内装体の外面側に付与された１枚の不織布シート材における前記本体部から左右方向外方に張り出した部分によって実質的に構成される。
【発明の効果】
【００１４】
請求項１に記載の発明によれば、この使い捨て吸収性物品の前後方向における吸収コアのくびれ部及びその近傍に対応するくびれ対応区間内に位置する左右の立体ギャザー形成部の少なくとも一部の区間において、立体ギャザー形成部の少なくとも一部が本体部の肌面側表面に接合されている。このため、吸収性物品が着用されて立体ギャザー形成部が立ち上がった際に、吸収コアのくびれ部が設けられる部分及びその近傍における本体部からの立体ギャザー形成部の立ち上がり高さが抑制され、着用者の排泄部と吸収コアとの間に生じる隙間を抑制でき、その隙間に起因する排泄物の漏れ等を抑制できる。
【００１５】
また、左右方向内方側又は肌面側に折り返された内装体の左右両側の部分（立体ギャザー形成部）によって立体ギャザーが構成される。このため、上述の特許文献２に記載の吸収性物品のように、本体部と別部材で形成した立体ギャザー不織布を本体部に接合するための接合部分（接着塗布部）と吸収コアの配置領域との重複等を回避できる。その結果、吸収コアによる排泄物の吸収効率及び吸収容量の低下等を生じることなく、着用者の排泄部と吸収コアとの間に生じる隙間を抑制できる使い捨て吸収性物品を提供できる。
【００１６】
請求項２に記載の発明によれば、胴回り用の弾性部材により吸収性物品を着用者にフィットさせることができるため、着用者の排泄部と吸収コアとの間に生じる隙間をさらに抑制できる。
【００１７】
請求項３に記載の発明によれば、後側外装体の着用者の脚周りに位置する部分には、脚用の弾性部材が付与されているため、その脚用の弾性部材と内装体の左右の縁部に設けられた立体ギャザー形成部とにより、強力な横漏れ防止機能が得られる。一方、前側外装体の股下側部分と後側外装体の股下側部分との間に位置する部分等については、内装体の左右両側の部分に設けられた立体ギャザー形成部による横漏れ防止機能が発揮されるため、脚用弾性部材が設けられていなくとも、十分な横漏れ防止機能が得られる。
【００１８】
請求項４に記載の発明によれば、胴回り用の弾性部材により吸収性物品を着用者にフィットさせることができるため、着用者の排泄部と吸収コアとの間に生じる隙間をさらに抑制できる。
【００１９】
請求項５に記載の発明によれば、前側外装体に設けた破断部を破断したときには、締結シート材及び付着部により吸収性物品の胴回り寸法を微調整できる。このため、吸収性物品を着用者によりフィットさせることができ、着用者の排泄部と吸収コアとの間に生じる隙間をさらに抑制できる。
【００２０】
請求項６に記載の発明によれば、左右の立体ギャザー形成部が内装体の外面側に付与された１枚の不織布シート材によって実質的に構成されているため、吸収性物品の部品部材の点数を抑制でき、吸収性物品の製造工程を簡略化できる。
【００２１】
また、請求項３に記載のように、外装体が前側外装体と後側外装体とに分割されている場合には、前側外装体と後側外装体との間に間隔があき、その間から内装体が外側に露出する場合がある。このような場合において、本発明によれば、内装体の外面側に不織布シートが付与されているため、外面に露出した内装体によって吸収性物品の肌触りが損なわれることがない。
【発明を実施するための最良の形態】
【００２２】
図１は本発明の一実施形態に係る使い捨て吸収性物品（以下、単に「吸収性物品」という）の斜視図であり、図２は図１の吸収性物品において左側の破断部を破断して展開した状態を示す斜視図であり、図３は図１の吸収性物品において左右のサイド接合部を切り離し、平面的に展開した状態を示す図であり、図４は図３のＡ−Ａ線に沿った断面図であり、図５は図３のＢ−Ｂ線に沿った断面図である。なお、本明細書において前後左右というときは着用者を基準としており、例えば、その着用者の左手側を左、右手側を右と呼んでいる。また、吸収性物品１の縦方向Ｙ（図３参照）とは吸収性物品１の上下又は前後方向に対応した方向をいい、吸収性物品１の横方向Ｘ（図３参照）とは吸収性物品１の左右方向に対応した方向をいう。
【００２３】
この吸収性物品１は、図１ないし図５に示すように、外装体２と、外装体２の肌面側に設けられ、排泄物を吸収する吸収コア３を有する内装体４とを備えている。外装体２は、着用者の前腹部にあてがわれる前側外装体５と、着用者の後背部から臀部にかけた部分にあてがわれる後側外装体６とを備えている。なお、本実施形態では、前側外装体５の股下側端部と後側外装体６の股下側端部とが間隔をあけて配置されているが、２つの股下側端部を重ね合わせて接合してもよい。また、本実施形態では、前側外装体５と後側外装体６とが別々の部材で構成された例について示したが、前側外装体５と後側外装体６とを連続的につながった部材として構成してもよい。
【００２４】
前側外装体５の左右の縁部５ａと後側外装体６の左右の縁部６ａとは、互いに向き合った状態で所定の接合手段により接合され、これによって左右のサイド接合１１が形成される。このため、この吸収性物品１は、ウエスト用開口部１２と、左右の脚用開口部１３Ｌ，１３Ｒを有するパンツ型の構成を有している。サイド接合部１１の接合手段としては、超音波溶着、加熱溶着、接着剤（例えば、ホットメルト接着剤）による接着等のいずれか一つ又はそれの複数の組み合わせ等が用いられる。
【００２５】
前側外装体５における横方向Ｘの中心から左右にずれた部分には、その前側外装体５を破断するための破断部１６Ｌ，１６Ｒが略縦方向Ｙに沿ってそれぞれ設けられている。破断部１６Ｌ，１６Ｒは、ミシン目等からなっており、工場出荷時は破断部１６Ｌ，１６Ｒはつながった状態となっている。そして、ユーザがこの破断部１６Ｌ，１６Ｒを破断することにより、前側外装体５を破断部１６Ｌ，１６Ｒの位置で分断し、吸収性物品１を展開できるようになっている。このため、例えば、破断部１６Ｌ，１６Ｒがつながっている状態では、脚用開口部１３Ｌ，１３Ｒに脚を通してこの吸収性物品１をはくようにして使用することができる（すなわち、パンツ型の使い捨ておむつとして使用することができる）。また、破断部１６Ｌ，１６Ｒを切り離した状態では、例えば、この吸収性物品１を着用者の臀部にあてがい、おむつのようにして装着することができる（すなわち、再締結可能なテープ型の使い捨ておむつとして使用することができる）。
【００２６】
これに伴って、前側外装体５には、破断部１６Ｌ，１６Ｒが破断されたときにその破断された部分を再締結するための左右一対の締結シート材１７Ｌ，１７Ｒ、及びその締結シート材１７Ｌ，１７Ｒが着脱自在に付着される付着部１８が設けられている。付着部１８は、前側外装体５の外面側における左右の破断部１６Ｌ，１６Ｒの間の領域に設けられている。また、付着部１８としては、例えばシート状のループ材が用いられる。なお、本実施形態では、付着部１８にループ材を用い、締結シート材１７Ｌ，１７Ｒに後述のフック材２２を用いたが、着脱自在に互いに付着するものであれば、任意の構成を採用できる。例えば、締結シート材１７Ｌ，１７Ｒに粘着材が塗布された粘着シートを用い、付着部１８にその粘着シートが着脱自在に付着される樹脂フィルム等を用いてもよい。
【００２７】
内装体４は、前側外装体５と後側外装体６との間を前後方向に橋渡すように配置され、前側外装体５及び後側外装体６の肌面側に接着剤（例えば、ホットメルト接着剤）等の接合手段を用いて接合されている。なお、内装体４は、破断部１６Ｌ，１６Ｒでの前側外装体５の破断を阻害しないように、前側外装体５における左右の破断部１６Ｌ，１６Ｒの間の部分と接合される。
【００２８】
左右の締結シート材１７Ｌ，１７Ｒは、不織布等により形成される略シート状の基材シート２１と、その基材シート２１の自由端側に付与されたフック材２２とを備えている。本実施形態では、基材シート２１に２つつまみ部２１ａが設けられ、そのつまみ部２１ａの肌面側には、付着部１８に着脱自在に係合するフック材２２がそれぞれ接合されている。
【００２９】
また、締結シート材１７Ｌ，１７Ｒの基材シート２１は、つまみ部２１ａの基端部を通る略縦方向Ｙに沿った折り畳み線で二つ折りにされた状態で、接着剤（例えば、ホットメルト接着剤）等の接合手段により前側外装体５の肌面側に接合されている。
【００３０】
このため、このような締結シート材１７Ｌ，１７Ｒは、前側外装体５の破断部１６Ｌ，１６Ｒを破断したときに、締結シート材１７Ｌ，１７Ｒのつまみ部２１ａを図２の矢印２３で示すように展開できる。そして、その展開したつまみ部２１ａのフック材２２を前側外装体５の付着部１８に付着させることにより、この吸収性物品１をおむつのようして着用者にあてがって装着できる。これによって、締結シート材１７Ｌ，１７Ｒを着脱することにより、後述する吸収コア３の汚れを確認したり、締結シート材１７Ｌ，１７Ｒの付着部１８への付着位置を調節して吸収性物品１を着用者の体型にフィットさせることができる。
【００３１】
また、前側外装体５と対向する内装体４の左右の縁部には、前側外装体５側を向いた面に付着部材２４が接着剤（例えば、ホットメルト接着剤）等の接合手段により接合されている。この付着部材２４は、内装体４の前側部分における左右の縁部を前側外装体５側に付着させるためのものであり、例えばフック材により構成されている。
【００３２】
前側外装体５の上縁部には、その上縁部に沿ってウエスト用弾性部材２６が略横方向Ｘに伸張された状態で付与されている。また、後側外装体６の上縁部には、その上縁部に沿ってウエスト用弾性部材２７が略横方向Ｘに伸張された状態で付与されている。また、前側外装体５の下縁部及び後側外装体６の脚用開口部１３Ｌ，１３Ｒを形成する縁部には、その縁部に沿って脚用弾性部材２８，２９が縁部に沿って伸張された状態で付与されている。また、前側外装体５の左右の両脇部分における着用者の胴周りに位置する部分（前側外装体５の縦方向Ｙの中間部）には、略横方向Ｘに沿ってボディ用弾性部材３０が伸張された状態で付与されている。また、後側外装体６における着用者の胴周りに位置する部分（後側外装体６の縦方向Ｙの中間部）には、内装体４が接合される部分を避けて、略横方向Ｘに沿ってボディ用弾性部材３１が伸張された状態で付与されている。
【００３３】
前側外装体５は、不織布等からなる２枚のシート材の間に、弾性部材２６，２８，３０を挟み込んで構成されている。また、後側外装体６も、不織布等からなる２枚のシート材３６，３７（図４参照）の間に、弾性部材２７，２９，３１を挟み込んで構成されている。
【００３４】
内装体４は、図３から図５に示すように、吸収コア３を備えた本体部４１と、左右一対の立体ギャザー形成部４２Ｌ，４２Ｒと、各立体ギャザー形成部４２Ｌ，４２Ｒに付与される起立用弾性部材４３，４４とを備えている。
【００３５】
吸収コア３は、例えば砂時計形の平面形状を有し、着用者の股下部に対応する部分において横方向Ｘの幅が狭められたくびれ３ａ部を備えている。このような吸収コア３は、例えば、粉砕したパルプ繊維やセルロース繊維等の親水性繊維集合層に粒状の高分子吸収体を混合した塊をティッシュペーパなどの紙シート又は透液性不織布シート等の被覆シートで包み、所定形状に成形されたものである。
【００３６】
本体部４１は、そのような吸収コア３を内包した、内装体４における横方向Ｘの中央部に位置する部分からなっている。左右の立体ギャザー形成部４２Ｌ，４２Ｒは、内装体４における本体部４１の左右両側に位置する部分により構成され、横方向Ｘ内方側又は肌面側に折り返されて立体ギャザーを形成する。起立用弾性部材４３，４４は、左右の立体ギャザー形成部４２Ｌ，４２Ｒの自由端部又はその近傍に自由端部の延設方向に沿って伸張された状態で付与され、その収縮力により立体ギャザー形成部４２Ｌ，４２Ｒを着用者の肌面に向けて起立させる。
【００３７】
立体ギャザー形成部４２Ｌ，４２Ｒの縦方向Ｙの両縁部は、立体ギャザー形成部４２Ｌ，４２Ｒの折り返し状態を保持するために、接合部４６，４７により本体部４１の肌面側表面に接合されている。この接合部４６，４７での接合には、ホットメルト接着剤等の接合手段が用いられる。
【００３８】
また、本実施形態では、縦方向Ｙにおける吸収コア３のくびれ部３ａ及びその近傍に対応するくびれ対応区間４５内に位置する左右の立体ギャザー形成部４２Ｌ，４２Ｒの少なくとも一部の区間４５ａにおいて、立体ギャザー形成部４２Ｌ，４２Ｒの少なくとも一部が、接合部４８により本体部４１の肌面側表面に接合されている。この接合部４８での接合には、ホットメルト接着剤等の接合手段が用いられる。くびれ対応区間４５は、吸収コア３のくびれ部３ａに対応する区間だけでなく、その近傍を含むように設定される。本実施形態では、くびれ対応区間４５内の一部の区間４５ａにおいて、左右の立体ギャザー形成部４２Ｌ，４２Ｒの横方向Ｘに沿った幅のうちの基端部側から略中央部にかけての部分が、縦方向Ｙに沿って接合部４８により本体部４１に接合されている。これによって、吸収性物品１が着用されて立体ギャザー形成部４２Ｌ，４２Ｒが立ち上がった際に、吸収コア３のくびれ部３ａが設けられる部分及びその近傍における本体部４１からの立体ギャザー形成部４２Ｌ，４２Ｒの立ち上がり高さが抑制される。
【００３９】
次に、内装体４を構成するシート材について説明する。本実施形態に係る内装体４には、図４及び図５に示すように、吸収コア３の肌面側を覆うトップシート５１と、吸収コア３の外面側を覆うバックシート５２と、バックシート５２のさらに外面側から吸収コア３を覆い、左右両側の縁部が略肌面側に折り返されるサイドシート（不織布シート材）５３が用いられる。トップシート５１は透液性のシート材（例えば、不織布）により構成され、バックシート５２は疎水性又は不透液性のシート材（例えば、不織布又は多孔性の樹脂フィルム）により構成され、サイドシート５３は１枚の不織布シート材により構成される。左右の立体ギャザー形成部４２Ｌ，４２Ｒは、サイドシート５３の本体部４１から横方向Ｘ外方に張り出した左右の張出部により形成されている。サイドシート５３の左右両側の縁部は、弾性部材４３，４４を包み込むようにして本体部４１側に略筒状に折り返された状態で接合される。
【００４０】
なお、本実施形態に係る吸収性物品１に用いられる不織布としては、スパンボンド不織布、メルトブロー不織布、ＳＭＳ不織布等の一般的な素材が用いられる。また、弾性部材２６〜３１，４３，４４についても、ポリウレタン糸、帯状のポリウレタンフィルム、天然ゴム等の一般的な素材が用いられる。
【００４１】
以上のように、本実施形態によれば、上述のように、吸収コア３のくびれ部３ａ及びその近傍に対応するくびれ対応区間４５内に位置する左右の立体ギャザー形成部４２Ｌ，４２Ｒの少なくとも一部の区間４５ａにおいて、立体ギャザー形成部４２Ｌ，４２Ｒの少なくとも一部が本体部４１の肌面側表面に接合されている。このため、吸収性物品１が着用されて立体ギャザー形成部４２Ｌ，４２Ｒが立ち上がった際に、吸収コア３のくびれ部３ａが設けられる部分及びその近傍における本体部４１からの立体ギャザー形成部４２Ｌ，４２Ｒの立ち上がり高さが抑制され、着用者の排泄部と吸収コア３との間に生じる隙間を抑制でき、その隙間に起因する排泄物の漏れ等を抑制できる。
【００４２】
また、左右方向内方側又は肌面側に折り返された内装体４の左右両側の部分（立体ギャザー形成部４２Ｌ，４２Ｒ）によって立体ギャザーが構成される。このため、上述の特許文献２に記載の吸収性物品のように、本体部４１と別部材で形成した立体ギャザー不織布を本体部４１に接合するための接合部分（接着塗布部）と吸収コア３の配置領域との重複等を回避できる。その結果、吸収コア３による排泄物の吸収効率及び吸収容量の低下等を生じることなく、着用者の排泄部と吸収コア３との間に生じる隙間を抑制できる使い捨て吸収性物品を提供できる。
【００４３】
また、胴回り用弾性部材３０，３１により吸収性物品１を着用者にフィットさせることができるため、着用者の排泄部と吸収コア３との間に生じる隙間をさらに抑制できる。
【００４４】
また、後側外装体６の着用者の脚周りに位置する部分には脚用弾性部材２９が付与されているため、その脚用弾性部材２９により形成されるギャザーと内装体４の左右の縁部に設けられた立体ギャザー形成部４２Ｌ，４２Ｒとにより、強力な横漏れ防止機能が得られる。一方、前側外装体５の股下側部分と後側外装体６の股下側部分との間に位置する部分等については、内装体４の左右両側の部分に設けられた立体ギャザー形成部４２Ｌ，４２Ｒによる横漏れ防止機能が発揮されるため、脚用弾性部材が設けられていなくとも、十分な横漏れ防止機能が得られる。
【００４５】
また、左右の立体ギャザー形成部４２Ｌ，４２Ｒが内装体４の外面側に付与された１枚の不織布シート材（サイドシート５３）によって実質的に構成されているため、吸収性物品１の部品部材の点数を抑制でき、吸収性物品１の製造工程を簡略化できる。
【００４６】
また、内装体４の外面側に不織布シートからなるサイドシート５３が付与されているため、前側外装体５の股下側部分と後側外装体６の股下側部分との間から外面に露出した内装体４によって吸収性物品１の肌触りが損なわれることがない。
【００４７】
また、前側外装体５に設けた破断部１６Ｌ，１６Ｒを破断したときには、締結シート材１７Ｌ，１７Ｒ及び付着部１８により吸収性物品１の胴回り寸法を微調整できる。このため、吸収性物品１を着用者によりフィットさせることができ、着用者の排泄部と吸収コア３との間に生じる隙間をさらに抑制できる。
【００４８】
なお、上述の実施形態に係る吸収性物品１はパンツ・おむつ共用型のものであるが、上述の実施形態に係る技術をパンツ型の使い捨て吸収性物品に適用してもよく、あるいはテープ型の吸収性物品に適用してもよい。
【図面の簡単な説明】
【００４９】
【図１】本発明の一実施形態に係る使い捨て吸収性物品の斜視図である。
【図２】図１の使い捨て吸収性物品において左側の破断部を破断して展開した状態を示す斜視図である。
【図３】図１の使い捨て吸収性物品において左右のサイド接合部を切り離し、平面的に展開した状態を示す図である。
【図４】図３のＡ−Ａ線に沿った断面図である。
【図５】図３のＢ−Ｂ線に沿った断面図である。
【符号の説明】
【００５０】
１  使い捨て吸収性物品、２  外装体、３  吸収コア、３ａ  くびれ部、４  内装体、５  前側外装体、６  後側外装体、１１  サイド接合部、１２  ウエスト用開口部、１３Ｌ，１３Ｒ  脚用開口部、１６Ｌ，１６Ｒ  破断部、１７Ｌ，１７Ｒ  締結シート材、２１  基材シート、２２  フック材、２４  付着部材、２６，２７  ウエスト用弾性部材、２８，２９  脚用弾性部材、３０，３１  ボディ用弾性部材、３６，３７  シート材、４１  本体部、４２Ｌ，４２Ｒ  立体ギャザー形成部、４３，４４  起立用弾性部材、４５  くびれ対応区間、４５ａ  区間、４６〜４８  接合部、５１  トップシート、５２  バックシート、５３  サイドシート。
【図１】
2008302138.tif 000003
【図２】
2008302138.tif 000004
【図３】
2008302138.tif 000005
【図４】
2008302138.tif 000006
【図５】
2008302138.tif 000007